(57)【要約】【課題】可視光下で黒く見えるとともに、紫外光の照射によって可視光で各色に蛍光発光する黒色インクを提供する。【解決手段】シアン、マゼンタおよびイエローの染料および／または顔料が混合されることにより可視光下で黒色を呈する黒色の染料および／または顔料と、可視光には反応せず紫外光の照射により可視光の蛍光を発する蛍光性の染料および／または顔料とを含んで構成した。これにより、可視光の下では単に黒色にしか見えず、紫外光を当てると蛍光発色するインクとなり、例えば、偽造防止等の印刷物に利用することができる。【選択図】なし【特許請求の範囲】
【請求項１】
シアン、マゼンタおよびイエローの染料および／または顔料が混合されることにより可視光下で黒色を呈する黒色の染料および／または顔料と、
可視光には反応せず紫外光の照射により可視光の蛍光を発する蛍光性の染料および／または顔料とを含んで構成されたことを特徴とする黒色インク。
【請求項２】
上記シアンの染料および／または顔料は紫外光の波長領域での反射率が低いものである請求項１記載の黒色インク。
【請求項３】
シアン、マゼンタおよびイエローの染料および／または顔料が混合されることにより可視光下で黒色を呈する黒色の染料および／または顔料と、
可視光には反応せず紫外光の照射により可視光の蛍光を発する蛍光性の染料および／または顔料とを含んで構成された黒色インクによる印刷部分を少なくとも備えたことを特徴とする印刷物。
【発明の詳細な説明】
【技術分野】
【０００１】
本発明は、ブラックライト等による紫外光の照射により蛍光発光する黒色インクおよびそれを用いた印刷物に関するものである。
【背景技術】
【０００２】
従来から、ブラックライト等による紫外光を照射することによって可視光で蛍光発光する顔料やインクは各種のものが存在し、偽造防止用の印刷物等の各種用途に使用されている。これらの顔料やインクとしては、可視光線下で赤く見えるものが、紫外光の照射によって可視光で赤や黄色に発光するものが知られている。
【特許文献１】特開２００２−１１３９３７号公報
【特許文献２】特表２００４−５３５９６３号公報
【発明の開示】
【発明が解決しようとする課題】
【０００３】
しかしながら、可視光線下で黒く見えるものを、紫外光の照射によって可視光で赤や黄色に蛍光発光させるのが極めて困難であった。すなわち、可視光線下で黒く見える黒色顔料は、可視光線を全て吸収するから黒く見えるのであり、このような黒色顔料に蛍光顔料を混ぜたとしても、紫外光の照射によって蛍光発光した可視光が上記黒色顔料にすべて吸収されてしまう。このため、可視光線下で黒く見えるとともに紫外光の照射によって可視光で赤や黄色に蛍光発光する顔料は、存在しないか、あるいは存在したとしても、とても実用領域で使用できるものではなかった。
【０００４】
本発明は、上記のような事情に鑑みなされたもので、可視光線下で黒く見えるとともに、紫外光の照射によって可視光で各色に蛍光発光する黒色インクおよびそれを用いた印刷物の提供を目的とする。
【課題を解決するための手段】
【０００５】
上記目的を達成するため、本発明の黒色インクは、シアン、マゼンタおよびイエローの染料および／または顔料が混合されることにより可視光下で黒色を呈する黒色の染料および／または顔料と、
可視光には反応せず紫外光の照射により可視光の蛍光を発する蛍光性の染料および／または顔料とを含んで構成されたことを要旨とする。
【０００６】
上記目的を達成するため、本発明の印刷物は、シアン、マゼンタおよびイエローの染料および／または顔料が混合されることにより可視光下で黒色を呈する黒色の染料および／または顔料と、
可視光には反応せず紫外光の照射により可視光の蛍光を発する蛍光性の染料および／または顔料とを含んで構成された黒色インクによる印刷部分を少なくとも備えたことを要旨とする。
【発明の効果】
【０００７】
すなわち、本発明の黒色インクは、シアン、マゼンタおよびイエローの染料および／または顔料が混合されることにより可視光下で黒色を呈する黒色の染料および／または顔料と、可視光には反応せず紫外光の照射により可視光の蛍光を発する蛍光性の染料および／または顔料とを含んで構成されていることにより、可視光の下では、シアン、マゼンタおよびイエローの染料および／または顔料が混色されて黒色を呈し、蛍光性の染料および／または顔料は視覚的に認識されないため、黒色に見え、紫外線を照射すると、蛍光性の染料および／または顔料が可視光の蛍光を発し、この可視光の蛍光が視認される。このように、可視光下では単に黒色にしか見えず、紫外光を当てると蛍光発色するインクとなり、例えば、偽造防止等の印刷物に利用することができる。
【０００８】
本発明において、上記シアンの染料および／または顔料は紫外光の波長領域での反射率が低いものである場合には、紫外光を照射したときに紫外光の反射が少なく、蛍光性の染料および／または顔料から発光された蛍光だけが視認され、蛍光発光がより鮮明となる。これにより、可視光下では単に黒色にしか見えず、紫外光を当てると鮮明に蛍光発色するインクとなり、例えば、偽造防止等の印刷物に利用することができる。
【０００９】
本発明の印刷物は、上記黒色インクによる印刷部分が、可視光下では単に黒色にしか見えず、紫外光を当てると蛍光発色し、例えば、偽造防止等に利用することができる。
【発明を実施するための最良の形態】
【００１０】
つぎに、本発明を実施するための最良の形態を説明する。
【００１１】
本実施形態の黒色インクは、シアン、マゼンタおよびイエローの染料および／または顔料が混合されることにより可視光下で黒色を呈する黒色の染料および／または顔料と、可視光には反応せず紫外光の照射により可視光の蛍光を発する蛍光性の染料および／または顔料とを含んで構成されている。
【００１２】
まず、ベースの可視光線が照射された条件下で黒色を呈する着色料としての染料および／または顔料として、シアン、マゼンタおよびイエローの染料および／または顔料が混合されたものが用いられる。シアン、マゼンタおよびイエローの染料および／または顔料は、ほぼ等量程度の混合比率に設定されるが、混合された結果が、可視光下でほぼ黒色を呈するものであれば、正確に等量でなくてもよい。
【００１３】
上記イエロー顔料としては、特に限定するものではなく、各種のものを用いることができるが、例えば、ナフトールエローＳ、ハンザエロー５Ｇ、ハンザエロー３Ｇ、ハンザエローＧ、ハンザエローＧＲ、ハンザエローＡ、ハンザエローＲＮ、ハンザエローＲ、ベンジジンエローＧ、ベンジジンエローＧＲ、パーマネントエローＮＣＧ、キノリンエローレーキなどの１種または２種以上を用いることができる。
【００１４】
上記マゼンタ顔料としては、特に限定するものではなく、各種のものを用いることができるが、例えば、パーマネントレッド４Ｒ、ブリリアントフアストスカーレット、ブリリアントカーミンＢＳ、パーマネントカーミンＦＢ、リソールレッド、パーマネントレッドＦ５Ｒ、ブリリアントカーミン６Ｂ、ピグメントスカーレット３Ｂ、ローダミンレーキＢ、ローダミンレーキＹ、アリザリンレーキなどの１種または２種以上を用いることができる。
【００１５】
上記シアン顔料としては、例えば、ビクトリアブルーレーキ、無金属フタロシアニンブルー、フタロシアニンブルー、フアストスカイブルーなどの１種または２種以上を用いることができる。
【００１６】
上記イエロー染料としては、特に限定するものではなく、各種のものを用いることができるが、例えば、Ｃ．Ｉ．ソルベントイエロー２、Ｃ．Ｉ．ソルベントイエロー６、Ｃ．Ｉ．ソルベントイエロー１４、Ｃ．Ｉ．ソルベントイエロー１５、Ｃ．Ｉ．ソルベントイエロー１９、Ｃ．Ｉ．ソルベントイエロー２１、Ｃ．Ｉ．ソルベントイエロー６１、Ｃ．Ｉ．ソルベントイエロー８０、Soldan Yellow GRN(中外) 、Aizen Spilon Yellow GRH Spcial (保土ケ谷化学)などの１種または２種以上を用いることができる。
【００１７】
上記マゼンタ染料としては、特に限定するものではなく、各種のものを用いることができるが、例えば、Ｃ．Ｉ．ソルベントレッド３、Ｃ．Ｉ．ソルベントレッド８、Ｃ．Ｉ．ソルベントレッド２４、Ｃ．Ｉ．ソルベントレッド２５、Ｃ．Ｉ．ソルベントレッド４９、Ｃ．Ｉ．ソルベントレッド８１、Ｃ．Ｉ．ソルベントレッド８２、Ｃ．Ｉ．ソルベントレッド８３、Ｃ．Ｉ．ソルベントレッド８４、Ｃ．Ｉ．ソルベントレッド１０９、Ｃ．Ｉ．ソルベントレッド１２１、Olient Oil Scarlet 308 (オリエント化学社) 、Aizen Spilon Red GRH (保土ケ谷化学) 、Olient Oil Pink OP(オリエント化学社) 、Ｃ．Ｉ．ソルベントレッド３、などの１種または２種以上を用いることができる。
【００１８】
上記シアン染料としては、例えば、Ｃ．Ｉ．ソルベントブルー１１、Ｃ．Ｉ．ソルベントブルー１２、Ｃ．Ｉ．ソルベントブルー２５、Ｃ．Ｉ．ソルベントブルー３５、Ｃ．Ｉ．ソルベントブルー３６、Ｃ．Ｉ．ソルベントブルー５５、Ｃ．Ｉ．ソルベントブルー７３、Aizen Spilon Blue GNH(保土ケ谷化学) 、Diaresin Blue C(三菱化成) 、DiaresinBlue J (三菱化成) 、Diaresin Blue H(三菱化成)、等の１種または２種以上を用いることができる。
【００１９】
ここで、上記シアンの染料および／または顔料は、特に、紫外光の波長領域での反射率が低いものとすることが好ましい。ここでの紫外光とは、波長４００ｎｍ以下の電磁波である。この紫外光を照射したときに、その紫外光を吸収または透過させる率が高く、反射率としては３０％以下であれば、蛍光発色の輝度が高ければその影響が少なく、２０％以下であれば、蛍光発色の輝度が極端に低くない限りその影響が少ない。ここでは、３０％以下が好ましく、より好ましくは２０％以下である。
【００２０】
本発明の黒色インクは、上記着色剤に加え、可視光には反応せず紫外光の照射により可視光の蛍光を発する蛍光性の染料および／または顔料とを含んで構成されている。ここで、可視光に反応しないとは、可視光の照射では蛍光発光しない、可視光を吸収または透過する、のいずれかまたは双方である。
【００２１】
上記蛍光性の顔料としては、例えば、ＢａＭｇＡｌ１０Ｏ１７：Ｅｕ，Ｍｎ、Ｓｒ３（ＰＯ４）３Ｃｌ：Ｅｕ、Ｙ２Ｏ２Ｓ：Ｅｕ等の１種または２種以上を好適に用いることができる。
【００２２】
上記蛍光性の染料としては、例えば、ユーロビウム錯体化合物、２−３（−オキソイソインドリン−１−イリデン）メチルキノリン、２，５−ビス（５’−ｔ−ブチルベンゾオキサゾリル−２’）チオフォフェン等の１種または２種以上を好適に用いることができる。
【００２３】
本発明の黒色インクは、上記着色料および蛍光性材料として主として顔料を用いた顔料系のインクとすることもできるし、上記着色料および蛍光性材料として主として染料を用いた染料系のインクとすることもできる。また顔料と染料を併せて用いたインクとすることも可能である。
【００２４】
本発明の黒色インクは、上記着色料を、適宜な溶剤（たとえば、水、トルエン、キシレン、メチルエチルケトン、メチルイソブチルケトン、酢酸ブチル、メチルアルコール、イソプロピルアルコール、ｎ−へキサン、ヘプタンなど）に分散、溶解し、均一混合することによって調製することができる。
【００２５】
本発明の黒色インクにはこれらの成分の他に、必要に応じて界面活性剤、酸化防止剤、熱安定化剤、防腐剤、溶解温度調整剤、透明化剤、分散剤、帯電防止剤等の添加物を適宜添加することができる。
【００２６】
以上のようにして得られた黒色インクは、インクジェット、レーザー、熱転写、オフセット、スクリーン等各種の方式のプリンタや印刷機により、紙、樹脂、金属、セラミックス、繊維製品、皮革、木材等、各種の印刷媒体に対して印刷し、上記黒色インクによる印刷部分を形成することができる。上記黒色インクによる印刷部分は、可視光下では単に黒色にしか見えず、紫外光を当てると蛍光発色し、例えば、偽造防止等に利用することができる。
【実施例】
【００２７】
黒色顔料を含むインクを１００に対し、蛍光顔料としてＹ２Ｏ２Ｓ：Ｅｕを１０配合して本発明の黒色インクを得た。黒色顔料を含むインクは下記の配合とした。
ポリエステル系オリゴマー  １６〜４２
反応性モノマー            １６〜４５
顔料＊                    １６〜６８
添加剤                    ０．５
【００２８】
上記顔料＊は、下記のものを用いた。
１２０Ｃ  酸化チタン
ＮＣ２００Ｃ、ＮＣ２１０Ｃ  コンポジット顔料
ＮＣ２２０Ｃ、ＮＣ２６５Ｃ  コンポジット顔料
３２０Ｃ、３５０Ｃ、４４０Ｃ  フタロシアニン系顔料
４９５Ｃ  有機紫色顔料
２０８Ｃ  有機黄色顔料
５００Ｃ、５１０Ｃ、５５０Ｃ、５８０Ｃ、５８６Ｃ、５１３Ｃ  有機黄色顔料
７１０Ｃ  カーボンブラック
【００２９】
上記黒インクを証紙、証明書、免許書、保険者証、パスポート、各種カード、封印シール等に印刷すれば、改ざん防止、コピー防止
、開封防止、偽造防止等に利用することができる。
【００３０】
このように、本実施形態の黒色インクは、シアン、マゼンタおよびイエローの染料および／または顔料が混合されることにより可視光下で黒色を呈する黒色の染料および／または顔料と、可視光には反応せず紫外光の照射により可視光の蛍光を発する蛍光性の染料および／または顔料とを含んで構成されていることにより、可視光の下では、シアン、マゼンタおよびイエローの染料および／または顔料が混色されて黒色を呈し、蛍光性の染料および／または顔料は視覚的に認識されないため、黒色に見え、紫外線を照射すると、蛍光性の染料および／または顔料が可視光の蛍光を発し、この可視光の蛍光が視認される。このように、可視光下では単に黒色にしか見えず、紫外光を当てると蛍光発色するインクとなり、例えば、偽造防止等の印刷物に利用することができる。
【００３１】
また、上記シアンの染料および／または顔料は紫外光の波長領域での反射率が低いものである場合には、紫外光を照射したときに紫外光の反射が少なく、蛍光性の染料および／または顔料から発光された蛍光だけが視認され、蛍光発光がより鮮明となる。これにより、可視光下では単に黒色にしか見えず、紫外光を当てると鮮明に蛍光発色するインクとなり、例えば、偽造防止等の印刷物に利用することができる。
【００３２】
本実施形態の印刷物は、上記黒色インクによる印刷部分が、可視光下では単に黒色にしか見えず、紫外光を当てると蛍光発色し、例えば、偽造防止等に利用することができる。